(57)【特許請求の範囲】
【請求項１】
一端に受口を有するとともに他端に挿口を有した管の外面にショットブラスト処理を施すに際し、第１の管の受口にはめ込まれるキャップであって、前記第１の管の受口の内周に押し込み状態ではめ込まれる筒部と、この筒部の先端に連続してこの筒部と一体に形成された底部と、第１の管の受口に掛かり合う掛かり合い部と、第２の管の挿口を外側に被せることができる環状突部と、この環状突部の基端部に設けられて、第２の管の挿口の先端面が接することで、この挿口をその最先端まで露出させた状態で、この挿口の先端を塞ぐことができる端面と、第１の管にはめ込まれるときのガイドとなる先端の外周テーパ面とを有したキャップにより、第１の管の受口と第２の管の挿口の先端とを塞いで、第１の管と第２の管とを軸心方向に連続させかつ第２の管の挿口の先端を第１の管の受口と同心に支持させた状態で、ショットブラスト処理を施すことを特徴とする管外面の処理方法。
【請求項２】
一端に受口を有するとともに他端に挿口を有する管の外面をショットブラスト処理するときに用いるキャップであって、このキャップは第１の管の受口にはめ込まれることが可能に構成され、前記キャップは、前記第１の管の受口の内周に押し込み状態ではめ込まれる筒部と、この筒部の先端に連続してこの筒部と一体に形成された底部と、第１の管の受口に掛かり合う掛かり合い部と、第２の管の挿口を外側に被せることができる環状突部と、この環状突部の基端部に設けられて、第２の管の挿口の先端面が接することで、この挿口をその最先端まで露出させた状態で、この挿口の先端を塞ぐことができる端面と、第１の管にはめ込まれるときのガイドとなる先端の外周テーパ面とを有して、第１の管の受口にはめ込まれたときに、第１の管と第２の管とを軸心方向に連続させかつ第２の管の挿口の先端を第１の管の受口と同心に支持させた状態で、第１の管の受口と第２の管の挿口の先端とを塞ぐことができるように構成されていることを特徴とする管端部キャップ。
【発明の詳細な説明】
【０００１】
【発明の属する技術分野】
本発明は管外面の処理方法およびこの方法に用いられる管端部キャップに関する。
【０００２】
【従来の技術】
たとえばダクタイル鋳鉄によって管を鋳造した場合には、この管の外面に軽金属を溶射することによって保護膜を形成することが行われている。そして、このような溶射処理の前段階として、管の外面にショットブラスト処理を施して錆とりなどが行われている。
【０００３】
このようなショットブラスト処理を行うための装置として、たとえば特開昭６１−２４４４６３号公報には、一方の管の受口の内部に他方の管の挿口を挿入して、これら管どうしを連続させるとともにその軸心方向に送りを付与しながら、ショットブラスト処理を行うようにしたものが記載されている。
【０００４】
【発明が解決しようとする課題】
このようなものであると、複数の管に連続的に処理を行うことができる利点があるが、一方の管の受口に挿入した他方の管の挿口の部分にはショットブラスト処理を施すことが困難である。また、受口の内面とこの受口に挿入される挿口の外面との間には隙間が存在し、この隙間を介して管の内部にショット粒が入り込むため、このショット粒を取り除くための後工程が必要になる。
【０００５】
そこで本発明は、挿口の先端までショットブラスト処理を行えるようにするとともに、管内にショット粒が入り込まないようにすることを目的とする。
【０００６】
【課題を解決するための手段】
この目的を達成するため本発明は、一端に受口を有するとともに他端に挿口を有した管の外面にショットブラスト処理を施すに際し、第１の管の受口にはめ込まれるキャップであって、前記第１の管の受口の内周に押し込み状態ではめ込まれる筒部と、この筒部の先端に連続してこの筒部と一体に形成された底部と、第１の管の受口に掛かり合う掛かり合い部と、第２の管の挿口を外側に被せることができる環状突部と、この環状突部の基端部に設けられて、第２の管の挿口の先端面が接することで、この挿口をその最先端まで露出させた状態で、この挿口の先端を塞ぐことができる端面と、第１の管にはめ込まれるときのガイドとなる先端の外周テーパ面とを有したキャップにより、第１の管の受口と第２の管の挿口の先端とを塞いで、第１の管と第２の管とを軸心方向に連続させかつ第２の管の挿口の先端を第１の管の受口と同心に支持させた状態で、ショットブラスト処理を施すものである。
【０００７】
このようにすると、挿口はキャップによってその先端が塞がれるだけであり、受口の内部に入り込むことがないため、この挿口の先端までショットブラスト処理を施すことが可能となる。また第１の管の受口にはめ込まれるキャップによりこの第１の管の受口と第２の管の挿口の先端とが塞がれるため、これら第１および第２の管の内部にショット粒が入り込むことが防止される。
【０００８】
また本発明は、一端に受口を有するとともに他端に挿口を有する管の外面をショットブラスト処理するときに用いるキャップが、第１の管の受口にはめ込まれることが可能に構成され、前記キャップは、前記第１の管の受口の内周に押し込み状態ではめ込まれる筒部と、この筒部の先端に連続してこの筒部と一体に形成された底部と、第１の管の受口に掛かり合う掛かり合い部と、第２の管の挿口を外側に被せることができる環状突部と、この環状突部の基端部に設けられて、第２の管の挿口の先端面が接することで、この挿口をその最先端まで露出させた状態で、この挿口の先端を塞ぐことができる端面と、第１の管にはめ込まれるときのガイドとなる先端の外周テーパ面とを有して、第１の管の受口にはめ込まれたときに、第１の管と第２の管とを軸心方向に連続させかつ第２の管の挿口の先端を第１の管の受口と同心に支持させた状態で、第１の管の受口と第２の管の挿口の先端とを塞ぐことができるように構成されているようにしたものである。
【０００９】
このようなものであると、挿口はキャップによってその先端が塞がれるだけであり、受口の内部に入り込むことがないため、この挿口の先端まで外面の処理を施すことができる。また、第１の管の受口にはめ込まれるキャップにより、第２の管の挿口を第１の管の受口と同心に支持した状態で、この第１の管の受口と第２の管の挿口の先端とが塞がれるため、このキャップを管の外面のショットブラスト処理に供した場合は、これら第１および第２の管の内部にショット粒が入り込むことが防止される。
【００１０】
【発明の実施の形態】
図２は、鋳鉄管にショットブラストおよび溶射を行うための設備の概略構成を示す。この図２において、１は管の外面に溶射処理を行うための装置、２はその溶射処理の前段階としてショットブラスト処理を行うための装置である。３は処理対象としての鋳鉄管で、その一端に接合用の受口４を有するとともに、その他端に、管どうしの接合時に他の管３の受口４の内部に挿入される挿口５を有する。
【００１１】
このような構成において、管３にショットブラストと溶射とを施す際には、図示のようにある管３の受口４に他の管３の挿口５を連結させて、複数の管３、３、…を互いに水平な軸心方向に連続させた状態で、これらの管３、３、…を、ショットブラスト処理を行うための装置２に通したうえで溶射処理を行うための装置１に通して、連続的な処理を行うようにされている。装置１における溶射処理が終了した管３は、互いの連結状態が解除されて、一本ずつ、たとえばその軸心と直交する水平方向に搬送される。６は、その直交方向への搬送路を示す。
【００１２】
このようにショットブラストと溶射とを施すために管３、３、…どうしを連結させる場合に、図１に示されるようなキャップ７が用いられる。このキャップ７は、耐摩耗性ゴムなどによって図示のような有底筒状体にて構成され、管３の受口４の開口に押し込み状態ではめ込まれるように構成されている。また、このようにしてある管３の受口４の開口に装着されたキャップ７には、他の管３の挿口５の先端がはめ合わされるように構成され、これによってこれらの管３、３どうしが軸心方向に連結されるように構成されている。
【００１３】
図３は、キャップ７の詳細構造を示す。このキャップ７において、８は受口の内部への挿入部で、一方の管３の受口４の内周に押し込み状態ではめ込まれる筒部９と、この筒部９の先端に連続する底部１０とを一体に有した構成とされている。筒部９の先端には、この筒部９を受口４の内部にはめ込むときのガイドとなる外周テーパ面１１が形成されている。またキャップ７には、受口４に軸心方向に掛かり合う掛かり合い部１３が形成されている。この掛かり合い部１３が受口に掛かり合うことで、受口４の内部への挿入部８の入り込み量が適正になるように規制される。
【００１４】
キャップ７における受口４から外方へ突出した部分１２には、挿口４を外側に被せることができる環状突部１７が形成されている。またキャップ７には環状突部１７の基端部において端面１８が形成されており、この端面１８に挿口５の先端面が接することで、この挿口５の先端が塞がれることになる。
【００１５】
挿入部８が一方の管３の受口４に挿入されたキャップ７は、他方の管３の挿口５が環状突部１７にはめ合わされることで、挿口５を受口４に対して同心状態で支持することが可能である。
【００１６】
そしてキャップ７は、このようにして受口４と挿口５とをシール状態かつ同心状態で相互に連結させることが可能であり、この連結状態で受口４の開口端と挿口５の開口端とを塞ぐことができるように構成されている。このとき、挿口５はその最先端の外周まで露出し、したがって完全にショットブラスト処理を施すことができる利点がある。
【００１７】
このような構成において、管３、３の外面にショットブラスト処理および溶射処理を施す際には、図１および図３に示すようにキャップ７を用いて管３、３どうしを同心状態で互いに連結し、この連結状態の管３、３を図２に示すショットブラスト装置２および溶射装置１に送り込んで、所定の処理を行う。
【００１８】
このとき、上述のように各管３、３の受口４および挿口５はいずれもキャップ７によって一緒に塞がれているため、ショットブラスト装置２において管３、３の内部にショット粒が入り込むことが確実に防止される。また、挿口５はキャップ７によってその先端面の部分が塞がれるだけであり、その最先端の外周まで露出するため、その最先端まで外面にショットブラスト処理およびそれに続く溶射処理を施すことができる。
【００１９】
しかも、キッャプ７によって一方の管３の受口４に対し他方の管３の挿口５が同心状態に支持されるため、互いに軸心方向に連結された複数の管３、３を何ら支障なくショットブラスト装置２に送り込むことができる。
【００２０】
このようにキャップ７よって互いに連結された複数の管３、３にショットブラストと溶射とが施された後に、各管３は図２に示すように搬送路６に沿って軸心と直交する水平方向に搬送され、この搬送路６における適宜の位置で用済み後のキャップ７が取り外される。
【００２１】
なお、キャップ７は、上述のように管３、３の外面にショットブラスト処理と溶射処理とを施す場合に使用できるほかに、管３、３の外面に他の処理を施す際にも使用することができる。
【００２２】
【発明の効果】
以上のように本発明によると、第１の管の受口にはめ込まれるキャップであって、前記第１の管の受口の内周に押し込み状態ではめ込まれる筒部と、この筒部の先端に連続してこの筒部と一体に形成された底部と、第１の管の受口に掛かり合う掛かり合い部と、第２の管の挿口を外側に被せることができる環状突部と、この環状突部の基端部に設けられて、第２の管の挿口の先端面が接することで、この挿口をその最先端まで露出させた状態で、この挿口の先端を塞ぐことができる端面と、第１の管にはめ込まれるときのガイドとなる先端の外周テーパ面とを有したキャップにより、第１の管の受口と第２の管の挿口の先端とを塞いで、第１の管と第２の管とを軸心方向に連続させかつ第２の管の挿口の先端を第１の管の受口と同心に支持させた状態で、ショットブラスト処理を施すため、挿口はキャップによってその先端面の部分が塞がれるだけであり、受口の内部に入り込むことがないため、この挿口の最先端までショットブラスト処理を施すことができる。また第１の管の受口にはめ込まれるキャップによりこの第１の管の受口と第２の管の挿口の先端とが塞がれるため、これら第１および第２の管の内部にショット粒が入り込むことを確実に防止できる。
【００２３】
また本発明によると、一端に受口を有するとともに他端に挿口を有する管の外面をショットブラスト処理するときに用いるキャップが、第１の管の受口にはめ込まれることが可能に構成され、前記キャップは、前記第１の管の受口の内周に押し込み状態ではめ込まれる筒部と、この筒部の先端に連続してこの筒部と一体に形成された底部と、第１の管の受口に掛かり合う掛かり合い部と、第２の管の挿口を外側に被せることができる環状突部と、この環状突部の基端部に設けられて、第２の管の挿口の先端面が接することで、この挿口をその最先端まで露出させた状態で、この挿口の先端を塞ぐことができる端面と、第１の管にはめ込まれるときのガイドとなる先端の外周テーパ面とを有して、第１の管の受口にはめ込まれたときに、第１の管と第２の管とを軸心方向に連続させかつ第２の管の挿口の先端を第１の管の受口と同心に支持させた状態で、第１の管の受口と第２の管の挿口の先端とを塞ぐことができるように構成されているため、挿口はキャップによってその先端面の部分が塞がれるだけであり、受口の内部に入り込むことがないため、この挿口の最先端まで外面の処理を施すことができる。また、第１の管の受口にはめ込まれるキャップにより、第２の管の挿口を第１の管の受口と同心に支持した状態で、この第１の管の受口と第２の管の挿口の先端とが塞がれるため、これら第１および第２の管の内部にショット粒が入り込むことを確実に防止できる。
【図面の簡単な説明】
【図１】  本発明の実施の形態のキャップを用いて管どうしを連結した状態を示す図である。
【図２】  キャップを装着した管の処理工程を説明するための図である。
【図３】  キャップの詳細構造を示す断面図である。
【符号の説明】
３    鋳鉄管
４    受口
５    挿口
７    キャップ
８    挿入部
１２    突出部分
【図１】
0003973339.tif 000002
【図２】
0003973339.tif 000003
【図３】
0003973339.tif 000004